(57)【要約】【課題】  反発磁力を支持力として発揮させるために永久磁石を使用した磁気浮揚クッションを提供する。【解決手段】  磁気浮揚クッションは、少なくとも1つのブラケットを用いて組み合せられる複数の磁気浮揚装置を備える。各磁気浮揚装置は、ハウジング、固定磁石、可動磁石、シャフト、および主パッドを有する。固定磁石はハウジング内に固定的に設置される。可動磁石は、ハウジングに滑動可能に設置され、固定磁石に同極で対面する。シャフトは、ハウジングを介して滑動可能に設置され、可動磁石に取り付けられた下端を有する。主パッドはシャフトの上端に設置される。磁気浮揚クッションは、椅子、ベッドおよびソファなどの布張り家具に使用され、金属疲労または物質の硬化問題を生じることなく、掃除され、組み替えられて有効にリサイクルできる。【選択図】図４
2009068704.tif 000002
【特許請求の範囲】
【請求項１】
開放頂部および頂縁部を有するハウジングと、
前記ハウジング内に固定的に設置された固定磁石と、
前記ハウジングに滑動可能に設置され、前記固定磁石に同極を対面する可動磁石と、
前記ハウジングを介して滑動可能に設置されるシャフトであって前記可動磁石に結合される下端と上端とを有するシャフトと、
前記シャフトの前記上端に設置された主パッドとを含む、磁気浮揚装置。
【請求項２】
前記ハウジングは、さらに開放底部および底縁部を有し、
前記磁気浮揚装置は、さらに、
前記ハウジングの前記開放底部に設置された底であって上面および当該底の前記上面に形成された凹所を有する底と、
前記ハウジングの前記開放端部に設置される蓋であって該蓋を貫通する貫通穴を有する蓋と、
前記ハウジング内に滑動可能に設置されるピストンであって上面と、下面と、該下面に形成され前記底の前記凹所に対向する凹所とを有するピストンと、
前記ピストンの前記上面に形成されたシャフトマウントとを含み、
前記固定磁石は前記底の前記凹所に設置され、
前記可動磁石は前記ピストンの前記凹所に固定的に設置され、
前記シャフトの前記下端は、前記蓋の前記貫通穴を貫通して前記ハウジング内に達し、前記ピストンの前記シャフトマウントに対応して該シャフトマウントに固定的に結合されるピストンマウントを有する、請求項１に記載の磁気浮揚装置。
【請求項３】
前記磁気浮揚装置は、さらに前記ハウジングの前記頂縁部および底縁部にそれぞれ設置される２つのリングを含み、
前記リングの少なくとも１つは、外側壁と、複数の前記磁気浮揚装置の結合を許すべく前記外側壁に形成された少なくとも１つのブラケットマウントとを有する、請求項２に記載の磁気浮揚装置。
【請求項４】
前記ハウジングは、さらに該ハウジングの前記頂縁部および底縁部に形成された複数の突起を有し、前記ハウジングの前記頂縁部および底縁部に設置された前記各リングは、内側壁と、該内側壁に形成され、前記ハウジングの対応する突起に係合する少なくとも１つのスロットとを有する、請求項３に記載の磁気浮揚装置。
【請求項５】
前記主パッドは、上面と、該上面に形成された少なくとも１つのパッドマウントと、当該少なくとも１つのパッドマウントに設置された少なくとも１つの副パッドとを備える、請求項４に記載の磁気浮揚装置。
【請求項６】
前記ハウジングは、さらに、該ハウジングの前記頂縁部および底縁部に形成され、相互に隣り合う複数のタブ穴を有し、
前記底は、さらに、弾性を有し前記底の回りに放射状に突出し、それぞれが前記ハウジングの対応するタブ穴に達する複数のタブを備え、
前記蓋は、さらに、弾性を有し当該蓋の回りに放射状に突出しそれぞれが前記ハウジングの対応するタブ穴に達する複数のタブを備える、請求項５に記載の磁気浮揚装置。
【請求項７】
前記磁気浮揚装置は、さらに、前記ハウジング内で前記固定磁石と前記可動磁石との間で滑動可能に設置された少なくとも１つの浮遊磁石を含む、請求項１から６に記載のいずれか一項に記載の磁気浮揚装置。
【請求項８】
前記少なくとも１つの前記浮遊磁石は、さらに前記ハウジングと前記浮遊磁石との間に設置された浮遊フレームを含む、請求項７に記載の磁気浮遊装置。
【請求項９】
前記複数の磁気浮揚装置が、磁気浮揚クッションに実装され、少なくとも１つのブラケットを用いて相互に結合されている、請求項１または２に記載の磁気浮揚装置。
【請求項１０】
複数の磁気浮揚装置が、磁気浮揚クッションに実装され、少なくとも１つのブラケットを用いて相互に結合されており、
前記少なくとも１つのブラケットは少なくとも２つの端部を有し、該各端部はその端末にリングマウントを有し、
前記少なくとも１つのブラケットの各リングマウントは、対応する１つの前記磁気浮揚装置の前記ハウジングの前記底縁部または頂縁部あるいは前記頂縁部および底縁部に設置された前記リングの前記ブラケットマウントに対応して該ブラケットマウントに係合する、請求項３から６のいずれか一項に記載の磁気浮揚装置。
【発明の詳細な説明】
【技術分野】
【０００１】
本発明は、クッションに関し、特に、ベッド、椅子、ソファ等のための支持組み合せ体として用いられる磁気浮揚クッションに関する。
【背景技術】
【０００２】
ベッド、椅子またはソファのような布張り家具は、一般に、バネまたはラテックスのような支持要素を含む。
【０００３】
スプリングベッドは、該スプリングベッド中に設置された金属スプリングコイルの数と、該金属スプリングの線径とによって決まる快適レベルを提供する。前記スプリングは、また、スプリングベッドの可撓性と硬度とに影響を与える。それ故、硬すぎるかあるいは柔らかすぎるスプリングベッドに横たわることは、人の背中および背骨を慢性的に傷つけるかもしれず、また不快感による睡眠不足および子供の背骨の成長への悪影響を及ぼしさえする。スプリングベッドには、金属疲労による寿命があり、人の背骨には柔らかすぎることになるであろう。
【０００４】
さらに、スプリングベッドの内部構造はとても複雑なので、汚れが内部に蓄積し易く、また、スプリングベッドは、汚れの掃除のための分解が困難である。
【０００５】
ラテックスベッドは、横たわるのには適している。 しかし、前記ラテックスベッドの素材は高密度である。前記ラテックスベッドは、換気が悪いと、良好な熱放散を提供せず、不快感や過度の発汗によるあせもさえ引き起こす。さらに、前記ラテックスベッドのラテックス材料は、年を経る毎に硬くなり、ぼろぼろに崩れて末期故障を引き起こすであろう。
【０００６】
前記欠点を克服すべく、本発明は、前記の問題を緩和しあるいは除去するために、磁気浮揚クッションを提供する。
【発明の開示】
【発明が解決しようとする課題】
【０００７】
本発明の主たる目的は、反発磁力を支持力として発揮させるために永久磁石を使用した磁気浮揚クッションを提供することにある。
【課題を解決するための手段】
【０００８】
磁気浮揚クッションは、少なくとも１つのブラケットを用いて組み合せられた複数の磁気浮揚装置を備える。各磁気浮揚装置は、ハウジング、固定磁石、可動磁石、シャフトおよび主パッドを有する。前記固定磁石は前記ハウジングに固定的に設置される。前記可動磁石は、前記ハウジングに滑動可能に設置され、前記固定磁石と同極を対面する。前記シャフトは、前記ハウジングを介して滑動可能に設置されており、前記可動磁石に固定された下端を有する。前記主パッドは、前記シャフトの上端に設置される。前記クッションは、椅子、ベッドおよびソファなどの布張り家具のために使われる。前記磁石が磁気力を提供するので、前記クッションは、金属疲労または素材の硬化問題を生じることなく、掃除され、組み替えられて、有効にリサイクルできる。
【０００９】
本発明の他の目的、利点および新規な特徴は、添付図面を参照しての以下の詳細な説明から、さらに明らかとなろう。
【発明を実施するための最良の形態】
【００１０】
図１を参照するに、本発明に係る磁気浮揚クッションは、複数の磁気浮揚装置（１）と、少なくとも１つのブラケット（２）を含む。
【００１１】
さらに図２から５および７を参照するに、磁気浮揚装置（１）は、少なくとも１つのブラケット（２）を用いて相互に結合されている。各磁気浮揚装置（１）は、ハウジング（１０）、オプションの底（１１）、オプションの蓋（１２）、オプションのピストン（１３）、固定磁石（１４）、可動磁石（１５）、シャフト（１６）、主パッド（１７）、２つのオプションのリング（１８）およびオプションの少なくとも１つの浮遊磁石（３０）を含む。
【００１２】
ハウジング（１０）は、開放頂部、開放底部、頂縁部および底縁部を有し、円筒形あるいは立方形であり、複数の突起（１００）、複数のタブ穴および少なくとも１つのブラケットマウントを有することができる。突起（１００）および前記タブ穴は、ハウジング（１０）の前記頂縁部および前記底縁部に形成され、相互に近接しているかもしれない。少なくとも１つの前記ブラケットマウントは、ハウジング（１０）に形成されており、突起とすることができる。
【００１３】
底（１１）は、ハウジング（１０）の前記開放底部に設置されており、上面、凹所（１１０）および複数のオプションのタブを有する。凹所（１１０）は、底（１１）の前記上面に形成されている。オプションの前記タブは、弾性を有し、底（１１）の回りで放射状に突出しており、ハウジング（１０）の対応する前記タブ穴にそれぞれ達する。
【００１４】
蓋（１２）は、ハウジング（１０）の前記開放頂部に設置されており、貫通穴（１２０）および複数のオプションのタブを有する。貫通穴（１２０）は，蓋（１２）ふたを貫通して形成されており、キー溝付きとすることができ、十字、多角形等とすることができる。オプションの前記タブは弾性を有し、蓋（１２）の回りで放射状に突出しており、ハウジング（１０）の対応する前記タブ穴にそれぞれ達する。
【００１５】
ピストン（１３）は、ハウジング（１０）中で滑動可能に設置されており、上面、下面、凹所（１３０）およびシャフトマウント（１３１）を有する。凹所（１３０）は、前記下面に、底（１１）の凹所（１１０）に対向して形成されている。シャフトマウント（１３１）は、ピストン（１３）の前記上面に形成されており、ピストン（１３）の前記上面から突出し、蓋（１２）の貫通穴（１２０）に対応して該貫通穴内に達することができる。
【００１６】
固定磁石（１４）は、ハウジング（１０）中に固定的に設置され、底（１１）の凹所（１１０）内に設置されている。
【００１７】
可動磁石（１５）は、ハウジング（１０）に滑動可能に設置されており、固定磁石（１４）に反発力を及ぼすべく、同極を固定磁石（１４）に対面させてピストン（１３）の凹所（１３０）に固定的に設置されている。可動磁石（１５）は、その時、磁気反発力によって固定磁石（１４）から離れて存在し、はじき出されることをピストン（１３）によって防止されている。
【００１８】
シャフト（１６）は、前記ハウジングを介して滑動可能に設置されており、下端および上端を有する。前記下端は、可動磁石（１５）に結合され、蓋（１２）の貫通穴（１２０）を通ってハウジング（１０）内に伸長し、ピストンマウント（１６０）を有する。ピストンマウント（１６０）は、ピストン（１３）のシャフトマウント（１３１）に対応し、該シャフトマウントに固定的に連結されている。
【００１９】
主パッド（１７）は、シャフト（１６）の前記上端に設置されており、上面、少なくとも１つのパッドマウント（１７１）および少なくとも１つの副パッド（１７０）を有することができる。前記少なくとも１つのパッドマウント（１７１）は、主パッド（１７）の前記上面に形成されている。前記少なくとも１つの副パッド（１７０）は、前記少なくとも１つのパッドマウント（１７１）に設置されており、弾性を有し、前記少なくとも１つの副パッド（１７０）の平面から離れて突出する複数の翼を含むことができ、中心、取付け穴（１７２）および留め具（１７３）を有する。取付け穴（１７２）は、前記少なくとも１つの副パッド（１７０）の前記中心を通って形成されている。留め具（１７３）は、前記少なくとも１つの副パッド（１７０）を取付け穴（１７２）を介して主パッド（１７）のパッドマウント（１７１）に設置する。
【００２０】
さらに図６を参照するに、リング（１８）は、ハウジング（１０）の前記頂縁部および底縁部のそれぞれに設置されている。各リング（１８）は、内側壁、外側壁、少なくとも１つのスロット（１８０）および少なくとも１つのブラケットマウント（１８１）を有する。スロット（１８０）は、前記内側壁に形成されており、リング（１８）をハウジング（１０）に固定しまたハウジング（１０）を補強すべく、該ハウジングの対応する突起（１００）に係合する。前記少なくとも１つのブラケットマウント（１８１）は、複数の磁気浮揚装置（１）の簡単な取付けを可能とするために、リング（１８）の前記外側壁に形成されている。
【００２１】
オプションの前記少なくとも１つの浮遊磁石（３０）は、ハウジング（１０）内に固定磁石（１４）および可動磁石（１５）間で滑動可能に設置され、ハウジング（１０）と浮遊磁石（３０）との間に、該浮遊磁石の回転またははじき出しを防止するための浮遊フレームを含むことができる。
【００２２】
複数の磁気浮揚装置（１）を共に保持する少なくとも１つのブラケット（２）は、少なくとも両端部を有し、該各端部はその端に形成されたリングマウント（２０）を有する。各リングマウント（２０）は、ハウジング（１０）のブラケットマウント（１８１）であっておそらくハウジング（１０）の前記底縁部または頂縁部あるいは前記頂縁部および底部縁部に設置されるリング（１８）上にあるブラケットマウント（１８１）に対応して該ブラケットマウントに係合することができる。これにより、複数の磁気浮揚装置（１）は、ブラケット（２）により、組み合せられる。
【００２３】
主パッド（１７）に力が適用されると、磁石（１４、１５、３０）間の磁気反発は、隔離距離が低減することにより、前記力に抵抗する。前記力が除去されると、前記磁石は、隔離距離を増大させる。したがって、本発明は布張り家具のための支持構造として使用することができる。さらに、磁石（１４、１５、３０）は、すべて永久磁石であり、長い間にわたってハウジング（１０）中に磁気反発が維持されるであろう。よって、前記布張り家具は、長寿命を有する。
【００２４】
本発明は、また以下の利点を有する。
１  容易な清掃  ユーザは、内部の清掃のために自身で磁気浮揚クッションを分解することができる。
２  容易な修理  磁気浮揚クッション中の破損した磁気浮揚装置（１）を個々に取り替えることができる。 したがって、１つの前記磁気浮揚装置が故障しても、家具を処分する必要がない。
３  優れた換気状態  各磁気浮揚装置（１）は、単一構造であり、磁気浮揚装置（１）間の空間は換気に十分である。
４  容易なサイズ変更  磁気浮揚装置（１）の数を増減することにより、磁気浮揚クッションのサイズを要求に応じて変更することができる。
５  再利用が可能  磁気浮揚装置（１）を使用している家具は、改善された適応能力のためや変化する流行およびファッションを維持するために、外装を変更するのみで、家具全体を取り替えるよりも安価に作り直しおよび張り替えが可能となる。
【００２５】
本発明の多数の特徴および利点が本発明の構造および特徴とともに前記し説明で記載されたが、その開示は説明のためのみである。ここに添付の特許請求の範囲に表現された用語の一般的な広義の意味で示される範囲内で、細部、特に本発明の原理内での部品の形状、寸法および配置を変更することができる。
【図面の簡単な説明】
【００２６】
【図１】本発明に係る磁気浮揚クッションの斜視図であり、
【図２】図１の磁気浮揚クッションの一部を拡大して示す斜視図であり、
【図３】本発明に係る磁気浮揚装置の第１の具体例を示す斜視図であり、
【図４】図３の磁気浮揚装置を分解して示す斜視図であり、
【図５】図３の磁気浮揚装置の横断面図であり、
【図６】本発明に係る磁気浮揚装置の第２の具体例を分解して示す斜視図であり、
【図７】本発明に係る磁気浮揚装置の第３の具体例を示す横断面図である。
【符号の説明】
【００２７】
１  磁気浮揚装置
２  ブラケット
２０  リングマウント
１０  ハウジング
１００  突起
１１  底
１１０  凹所
１２  蓋
１２０  貫通穴
１３  ピストン
１３０  凹所
１３１  シャフトマウント
１４  固定磁石
１５  可動磁石
１６  シャフト
１６０  ピストンマウント
１７  主パッド
１７０  副パッド
１７１  パッドマウント
１８  リング
１８０  スロット
１８１  ブラケットマウント
２０  リングマウント
３０  浮遊磁石
【図１】
2009068704.tif 000003
【図２】
2009068704.tif 000004
【図３】
2009068704.tif 000005
【図４】
2009068704.tif 000006
【図５】
2009068704.tif 000007
【図６】
2009068704.tif 000008
【図７】
2009068704.tif 000009